(57)【要約】      （修正有）【課題】カップ本体とベースの結合操作が簡単で、安全かつ、洗い易い分割型ジューサーを提供すること。【解決手段】ベース１とカップ本体２とを備える分割型ジューサーであって、カップ本体はプラスチック製またはガラス製であり、ベースの底部にはボトムケース３が設置される。駆動装置４は、穴スロット９に位置する下側コネクタ１０に接続され、駆動装置は、垂直に取り付けられたブラシレスモータであり、モータ軸は下側コネクタに接続される。底部に上側コネクタ１９が接続され、上側コネクタの底部と下側コネクタの上部には、噛み合う、噛み合い歯または噛み合いブロックが設けられている。【選択図】図１
2019213840.tif 000002
【特許請求の範囲】
【請求項１】
ベースと、カップ本体と、を備える分割型ジューサーであって、
前記ベースの底部にはボトムケースが設置されており、前記ベース内には、回路基板に接続された駆動装置と、誘導スイッチ及び電源線に接続された回路基板とが取り付けられており、誘導スイッチはベースの上端面に取り付けられており、前記ベースの中間部には穴スロットが設けられており、前記駆動装置は、前記穴スロット中に位置する下側コネクタに接続されており、前記ベースの上端面内には下側磁石が埋め込まれているとともに、下側磁石を覆っている滑り止め用の吸盤が設けられており、
前記カップ本体にはカップカバーが設けられており、カップカバーとカップ本体の開口はねじを介して接続されており、下側磁石に対応する位置にある上側磁石が前記カップカバーの下端面内に埋め込まれており、前記カップカバーの中間部には、中央貫通孔が設けられているとともにパドルカッタが取り付けられたテーパ部が設けられており、パドルカッタの軸は、テーパ部の中央貫通孔を貫通しており、底部には上側コネクタが接続されており、
前記上側コネクタの底部と下側コネクタの上部には、噛み合う噛み合い歯または噛み合いブロックが設けられている、分割型ジューサー。
【請求項２】
前記駆動装置は、垂直に取り付けられたブラシレスモータであり、モータ軸は、下側コネクタに接続されていることを特徴とする、請求項１に記載の分割型ジューサー。
【請求項３】
前記駆動装置は、水平に取り付けられたブラシモータであり、モータ軸はウォームに接続されており、ウォームと噛み合うウォームホイールはウォームの一側に取り付けられており、ウォームホイールの輪軸は下側コネクタに接続されていることを特徴とする、請求項１に記載の分割型ジューサー。
【請求項４】
前記パドルカッタには、上Ｖ字状の上刃及び逆Ｖ字状の下刃が設けられていることを特徴とする、請求項１に記載の分割型ジューサー。
【請求項５】
前記ベースの縁部には、回路基板に接続されたＬＥＤインジケータが設けられていることを特徴とする、請求項１に記載の分割型ジューサー。
【請求項６】
前記カップカバーには、シールリングが設けられていることを特徴とする、請求項１に記載の分割型ジューサー。
【請求項７】
前記カップ本体は、プラスチック製またはガラス製であることを特徴とする、請求項１に記載の分割型ジューサー。
【発明の詳細な説明】
【技術分野】
【０００１】
本発明は、ジューサーに関し、特に分割型ジューサーに関する。
【背景技術】
【０００２】
ジュースカップとも呼ばれるジューサーは、果物や野菜を快速に絞ってジュースにすることができるマシンであり、小型は家庭用にすることができる。既存のジューサーの回転刃は、ベースの上端に取り付けられ、また形状がベースの一側に取り付けられたため、カップ本体がセットされていない場合には、刃が外部に露出するため、不注意でスイッチを押すと、傷づきやすくなる。また、刃がベースに接続されているため、洗浄が困難である。カップ本体をセットした場合、カップ本体とベースとがバックルまたはねじで接続されるので、安全性と使用上の不便を避けるために、カップ本体を取り付ける際には、位置決め、締め付け、係り付け等の作業が必要である。
【発明の概要】
【発明が解決しようとする課題】
【０００３】
上記の欠点を解決するために、本発明は分割型ジューサーを提供する。
【課題を解決するための手段】
【０００４】
本発明の上記した目的は、以下の技術的解決策により達成されるが、即ち、ベースと、カップ本体と、を備える分割型ジューサーであって、
前記ベースの底部にはボトムケースが設置されており、前記ベース内には、回路基板に接続された駆動装置と、誘導スイッチ及び電源線に接続された回路基板とが取り付けられており、誘導スイッチはベースの上端面に取り付けられており、前記ベースの中間部には穴スロットを設けられており、前記駆動装置は、前記穴スロット中に位置する下側コネクタに接続されており、前記ベースの上端面内には下側磁石が埋め込まれているとともに、下側磁石を覆う滑り止め用の吸盤が設けられており、
前記カップ本体にはカップカバーが設けられており、カップカバーとカップ本体の開口はねじを介して接続されており、下側磁石に対応する位置にある上側磁石が前記カップカバーの下端面内に埋め込まれており、前記カップカバーの中間部には、中央貫通孔が設けられているとともにパドルカッタが取り付けられたテーパ部が設けられており、パドルカッタの軸は、テーパ部の中央貫通孔を貫通しており、底部には上側コネクタが接続されており、
前記上側コネクタの底部と下側コネクタの上部には、噛み合う噛み合い歯または噛み合いブロックが設けられている。
【０００５】
さらに、前記駆動装置は、垂直に取り付けられたブラシレスモータであり、モータ軸は、下側コネクタに接続されている。
【０００６】
さらに、前記駆動装置は、水平に取り付けられたブラシモータであり、モータ軸はウォームに接続されており、ウォームと噛み合うウォームホイールはウォームの一側に取り付けられており、ウォームホイールの輪軸は下側コネクタに接続されている。
【０００７】
さらに、前記パドルカッタには、上Ｖ字状の上刃及び逆Ｖ字状の下刃が設けられている。
【０００８】
さらに、前記ベースの縁部には、回路基板に接続されたＬＥＤインジケータが設けられている。
【０００９】
さらに、前記カップカバーには、シールリングが設けられている。
【００１０】
さらに、前記カップ本体は、プラスチック製またはガラス製である。
【００１１】
本発明の動作原理は、以下のようである。食材をカップ本体に入れて、カップカバーを締め付けた後、ベースに置いて、誘導スイッチを押し付けて、回路を始動させると、駆動装置が回転することによってパドルカッタを回転させることにより、ジュースを抽出する機能を達成させる。マシンの動作の間には、上側磁石及び下側磁石の吸着力によってカップ本体を安定化させ、ＬＥＤインジケータは順番に点灯されて、動作の進行をリアルタイムで表示する。
【発明の効果】
【００１２】
本発明は、既存の技術に比べて、本発明のジュースカップの構造が伝統的なジュースカップの構造を変えて、操作が簡単で、安全で、洗い易く、静かで、環境にやさしく、取り扱い寿命が長いという利点がある。
【図面の簡単な説明】
【００１３】
【図１】本発明の実施例１の構造模式図である。
【図２】本発明の実施例２の構造模式図である。
【発明を実施するための形態】
【００１４】
以下は、実施例に合わせて、本発明について詳しく説明する。
（実施例１）
図１に示されたように、ベース１とカップ本体２とを備える分割型ジューサーであって、前記カップ本体２はプラスチック製またはガラス製であり、前記ベース１の底部にはボトムケース３が設置され、前記ベース１内には、回路基板５に接続された駆動装置４と、誘導スイッチ６及び電源線７に接続された回路基板５とが取り付けられ、誘導スイッチ６は、ベース１の上端面に取り付けられ、前記ベース１の縁部には、回路基板５に接続されたＬＥＤインジケータ８が設置され、前記ベース１の中間部には穴スロット９が設けられ、前記駆動装置４は、前記穴スロット９に位置する下側コネクタ１０に接続され、前記駆動装置４は、垂直に取り付けられたブラシレスモータであり、モータ軸は下側コネクタ１０に接続される。前記ベース１の上端面内には下側磁石１１が埋め込まれるとともに、下側磁石１１を覆う滑り止め用の吸盤１２が設けられ、前記カップ本体２には、シールリング１４が設けられたカップカバー１３が設けられ、カップカバー１３とカップ本体２の開口はねじを介して接続され、下側磁石１１に対応する位置にある上側磁石１５が前記カップカバー１３の下端面内に埋め込まれ、前記カップカバー１３の中間部には、中央貫通孔１７が設けられるとともに、パドルカッタ１８が取り付けられたテーパ部１６が設けられ、前記パドルカッタ１８には、上Ｖ字状の上刃１８-１及び逆Ｖ字状の下刃１８-２が設けられ、パドルカッタ１８の軸がテーパ部１６の中央貫通孔１７を貫通し、底部に上側コネクタ１９が接続され、前記上側コネクタ１９の底部と下側コネクタ１０の上部には、噛み合う噛み合い歯または噛み合いブロックが設けられる。
【００１５】
本発明の動作原理は、以下のとおりである。食材をカップ本体２に入れて、カップカバー１３を締め付けた後、ベース１に置いて、誘導スイッチ６を押し付けて、回路を始動させると、垂直に取り付けられたブラシレスモータのモータ軸によって下側コネクタ１０、上側コネクタ１９を回転させて、パドルカッタ１８を回転させることで、ジュースを抽出する機能を達成させる。マシンの動作の間には、カップ本体２とベース１は、上側磁石及び下側磁石を介してしっかりと結合され、ＬＥＤインジケータは順番に点灯されて、動作の進行をリアルタイムで表示する。
【００１６】
（実施例２）
図２に示されたように、ベース１とカップ本体２とを備える分割型ジューサーであって、前記カップ本体２はプラスチック製またはガラス製であり、前記ベース１の底部にはボトムケース３が設置され、前記ベース１内には、回路基板５に接続された駆動装置４と、誘導スイッチ６及び電源線７に接続された回路基板５とが取り付けられ、誘導スイッチ６は、ベース１の上端面に取り付けられ、前記ベース１の縁部には、回路基板５に接続されたＬＥＤインジケータ８が設置され、前記ベース１の中間部には穴スロット９が設けられ、前記駆動装置４は、前記穴スロット９に位置する下側コネクタ１０が接続され、前記駆動装置４は、水平に取り付けられたブラシモータであり、モータ軸は、ウォーム２０に接続され、ウォーム２０の一側にはウォーム２０と噛み合うウォームホイール２１が取り付けられ、ウォームホイール２１の輪軸は下側コネクタ１０に接続される。前記ベース１の上端面内に下側磁石１１が埋め込まれるとともに、下側磁石１１を覆う滑り止め用の吸盤１２が設けられ、前記カップ本体２には、シールリング１４が設けられたカップカバー１３が設置され、カップカバー１３とカップ本体２の開口はねじを介して接続され、下側磁石１１に対応する位置にある上側磁石１５が前記カップカバー１３の下端面内に埋め込まれ、前記カップカバー１３の中間部には、中央貫通孔１７が設けられるとともに、パドルカッタ１８が取り付けられたテーパ部１６が設けられ、前記パドルカッタ１８には、上Ｖ字状の上刃１８-１及び逆Ｖ字状の下刃１８-２が設けられ、パドルカッタ１８の軸がテーパ部１６の中央貫通孔１７を貫通し、底部に上側コネクタ１９が接続され、前記上側コネクタ１９の底部と下側コネクタ１０の上部には、噛み合う噛み合い歯または噛み合いブロックが設けられる。
【００１７】
本発明の動作原理は、以下のようである。食材をカップ本体２に入れて、カップカバー１３を締め付けた後、ベース１に置いて、誘導スイッチ６を押し付けて、回路を始動させると、水平に取り付けられたブラシモータのモータ軸によってウォーム２０を動かせ、ウォーム２０によってウォームホイール２１を回転させて、またウォームホイール軸によって下側コネクタ１０、上側コネクタ１９を回転させて、パドルカッタ１８を回転させることで、ジュースを抽出する機能を達成させる。マシンの動作の間には、上側磁石及び下側磁石の吸着力を介してカップ本体２を安定化させ、ＬＥＤインジケータは順番に点灯されて、動作の進行をリアルタイムで表示する。
【００１８】
上記は、本発明の特許範囲を限定するものではなく、本発明の実施例に過ぎず、本発明の明細書及び実施例の内容を利用して作られた均等な構造または均等なプロセス変換は、直接的にまたは間接的に他の関連技術分野に応用されても、同じく全て本発明の特許保護の範囲に含まれる。
【図１】
2019213840.tif 000003
【図２】
2019213840.tif 000004